(57)【特許請求の範囲】
【請求項１】
基準点における風情報と複数の定点における風情報とを関連づけた風情報データを作成
する風情報データ作成ステップ、
前記基準点での所定時刻における風情報を計測する基準点風情報計測ステップ、
前記基準点風情報計測ステップで得られる前記基準点での所定時刻における風情報に基
づいて、前記風情報データから少なくとも１つの定点での風情報を抽出する定点風情報抽
出ステップ、及び、
前記定点風情報抽出ステップで得られた少なくとも１つの定点の風情報を放送画面上に
表示するためのテロップを生成するテロップ生成ステップ、を含む風情報表示方法におい
て、 前記基準点風情報計測ステップは、
前記基準点に存在する、風によって変化する対象物の前記所定時刻における画像を取得
する所定時刻画像取得ステップ、
前記対象物を変化させる風の風情報と当該対象物に対応する挙動を示す関連物の画像と
を関連づけた風情報記録画像を作成する風情報記録画像作成ステップ、及び、
前記所定時刻における画像と前記風情報記録画像とを照合し、当該所定時刻における画
像に最も近似する風情報記録画像から前記基準点での所定時刻における風情報を算出する
基準点風情報算出ステップ、を含むことを特徴とする風情報表示方法。
【請求項２】
前記基準点風情報算出ステップは、
前記所定時刻での画像における前記対象物の特徴点を抽出する第一特徴点抽出ステップ
、
前記風情報記録画像における前記関連物の特徴点を抽出する第二特徴点抽出ステップ、
前記第一特徴点抽出ステップで得られる特徴点から第二特徴点抽出ステップで得られる
特徴点に至る距離を全て算出し、当該距離が最も小さい当該風情報記録画像における特徴
点が当該所定時刻での画像における特徴点に対応すると判断するとともに、当該距離が所
定値以下であればそれらの特徴点同士が一致していると判断し、一致している特徴点が最
も多い風情報記録画像を、前記所定時刻における画像に最も近似する風情報記録画像とし
て選択する近似風情報記録画像選択ステップ、を含むことを特徴とする請求項１に記載の
風情報表示方法。
【請求項３】
基準点における風情報と複数の定点における風情報とを関連づけた風情報データを格納
する風情報データベース、
前記基準点での所定時刻における風情報を計測する基準点風情報計測手段、
前記基準点風情報計測手段で得られる前記所定時刻での前記基準点の風情報に基づいて
、前記風情報データベースから少なくとも１つの定点での風情報を抽出する定点風情報抽
出手段、及び、
前記定点風情報抽出手段で得られた少なくとも１つの定点の風情報を放送画面上に表示
するためのテロップを生成するテロップ生成手段、を含む風情報表示システムにおいて、
前記基準点風情報計測手段は、
前記基準点に存在する、風によって変化する対象物の前記所定時刻における画像を取得
する所定時刻画像取得手段、
前記対象物を変化させる風の風情報と当該対象物に対応する挙動を示す関連物の画像と
を関連づけた風情報記録画像を格納する風情報記録画像データベース、及び、
前記所定時刻における画像と前記風情報記録画像とを照合し、当該所定時刻における画
像に最も近似する風情報記録画像から前記基準点での所定時刻における風情報を算出する
基準点風情報算出手段、を含むことを特徴とする風情報表示システム。
【請求項４】
前記基準点風情報算出手段は、
前記所定時刻での画像における前記対象物の特徴点を抽出する第一特徴点抽出手段、
前記風情報記録画像における前記関連物の特徴点を抽出する第二特徴点抽出手段、
前記第一特徴点抽出手段で得られる特徴点から第二特徴点抽出手段で得られる特徴点に
至る距離を全て算出し、当該距離が最も小さい当該風情報記録画像における特徴点が当該
所定時刻での画像における特徴点に対応すると判断するとともに、当該距離が所定値以下
であればそれらの特徴点同士が一致していると判断し、一致している特徴点が最も多い風
情報記録画像を、前記所定時刻における画像に最も近似する風情報記録画像として選択す
る近似風情報記録画像選択手段、を含むことを特徴とする請求項３に記載の風情報表示シ
ステム。
【発明の詳細な説明】
【技術分野】
【０００１】
本発明は、競技場などの所定の環境における風の状態を電子機器の表示画面上に表示す
る風情報法表示方法及びそのシステムに関する。
【背景技術】
【０００２】
例えばゴルフや野球などの競技場における風の状態を電子機器の表示画面上に表示する
ものとして、本願発明者は特許文献１に示す如き方法及びシステムを提案している。この
方法及びシステムによれば、移動可能な第一風状態計測装置によって得られる打者の近傍
における風の状態のみならず、固定的に設けられた第二風状態計測装置によって得られる
上空の風状態や、移動可能な第三風状態計測装置によって得られる打者から離れた地点で
の風の状態も、リアルタイムに電子機器の表示画面上に表示することが可能である。
【先行技術文献】
【特許文献】
【０００３】
【特許文献１】特許第４３３７５１４号公報
【発明の概要】
【発明が解決しようとする課題】
【０００４】
ところで、特許文献１の方法及びシステムでは上述した利点があるものの、移動可能と
した風状態計測装置を、風の状態を得たい地点に設置しなければならないという制約があ
り、また競技によっては、このような風状態計測装置の設置が難しい地点もある。このた
め、汎用性をより高める点で改善の余地が残されている。
【０００５】
本発明はこのような点を解決することを課題とするものであり、移動可能な風状態計測
装置に頼らずに任意の地点での風の状態をリアルタイムに電子機器の表示画面上に表示す
ることができる風情報表示方法、及びそのシステムを提案することを目的とする。更に、
固定的に設けていた風向、風速センサーのような従来の風状態計測装置の設置が難しい環
境であっても、風の状態を表示することができる方法及びシステムを提案することを目的
とする。
【課題を解決するための手段】
【０００６】
本発明は、基準点における風情報と複数の定点における風情報とを関連づけた風情報デ
ータを作成する風情報データ作成ステップ、前記基準点での所定時刻における風情報を計
測する基準点風情報計測ステップ、前記基準点風情報計測ステップで得られる前記基準点
での所定時刻における風情報に基づいて、前記風情報データから少なくとも１つの定点で
の風情報を抽出する定点風情報抽出ステップ、及び、前記定点風情報抽出ステップで得ら
れた少なくとも１つの定点の風情報を放送画面上に表示するためのテロップを生成するテ
ロップ生成ステップ、を含む風情報表示方法において、
前記基準点風情報計測ステップは、前記基準点に存在する、風によって変化する対象物
の前記所定時刻における画像を取得する所定時刻画像取得ステップ、前記対象物を変化さ
せる風の風情報と当該対象物に対応する挙動を示す関連物の画像とを関連づけた風情報記
録画像を作成する風情報記録画像作成ステップ、及び、前記所定時刻における画像と前記
風情報記録画像とを照合し、当該所定時刻における画像に最も近似する風情報記録画像か
ら前記基準点での所定時刻における風情報を算出する基準点風情報算出ステップ、を含む
ことを特徴とする風情報表示方法である。
【０００８】
本発明の風情報表示方法において、前記基準点風情報抽出ステップは、前記所定時刻で
の画像における前記対象物の特徴点を抽出する第一特徴点抽出ステップ、前記風情報記録
画像における前記関連物の特徴点を抽出する第二特徴点抽出ステップ、前記第一特徴点抽
出ステップで得られる特徴点から第二特徴点抽出ステップで得られる特徴点に至る距離を
全て算出し、当該距離が最も小さい当該風情報記録画像における特徴点が当該所定時刻で
の画像における特徴点に対応すると判断するとともに、当該距離が所定値以下であればそ
れらの特徴点同士が一致していると判断し、一致している特徴点が最も多い風情報記録画
像を、前記所定時刻における画像に最も近似する風情報記録画像として選択する近似風情
報記録画像選択ステップ、を含むことが好ましい。
【０００９】
また本発明は、基準点における風情報と複数の定点における風情報とを関連づけた風情
報データを格納する風情報データベース、前記基準点での所定時刻における風情報を計測
する基準点風情報計測手段、前記基準点風情報計測手段で得られる前記所定時刻での前記
基準点の風情報に基づいて、前記風情報データベースから少なくとも１つの定点での風情
報を抽出する定点風情報抽出手段、及び、前記定点風情報抽出手段で得られた少なくとも
１つの定点の風情報を放送画面上に表示するためのテロップを生成するテロップ生成手段
を含む風情報表示システムにおいて、
前記基準点風情報計測手段は、前記基準点に存在する、風によって変化する対象物の前
記所定時刻における画像を取得する所定時刻画像取得手段、前記対象物を変化させる風の
風情報と当該対象物に対応する挙動を示す関連物の画像とを関連づけた風情報記録画像を
格納する風情報記録画像データベース、及び、前記所定時刻における画像と前記風情報記
録画像とを照合し、当該所定時刻における画像に最も近似する風情報記録画像から前記基
準点での所定時刻における風情報を算出する基準点風情報算出手段、を含むことを特徴と
する風情報表示システムである。
【００１１】
本発明の風情報表示システムにおいて、前記基準点風情報算出手段は、前記所定時刻で
の画像における前記対象物の特徴点を抽出する第一特徴点抽出手段、前記風情報記録画像
における前記関連物の特徴点を抽出する第二特徴点抽出手段、前記第一特徴点抽出手段で
得られる特徴点から第二特徴点抽出手段で得られる特徴点に至る距離を全て算出し、当該
距離が最も小さい当該風情報記録画像における特徴点が当該所定時刻での画像における特
徴点に対応すると判断するとともに、当該距離が所定値以下であればそれらの特徴点同士
が一致していると判断し、一致している特徴点が最も多い風情報記録画像を、前記所定時
刻における画像に最も近似する風情報記録画像として選択する近似風情報記録画像選択手
段、を含むことが好ましい。
【発明の効果】
【００１２】
本発明の風情報表示方法及びそのシステムにあっては、計測した基準点での所定時刻に
おける風情報に基づいて、基準点における風情報と複数の定点における風情報とを関連づ
けた風情報データから少なくとも１つの定点での風情報を抽出することができる。すなわ
ち、従来のように風の情報を得たい地点に風状態計測装置を設置する必要がなくなるので
、汎用性をより高めることができる。
【００１３】
そして、基準点での所定時刻における風情報を計測するにあたっては、基準点に存在す
る、風によって変化する対象物の所定時刻における画像を取得し、対象物を変化させる風
の風情報と当該対象物に対応する挙動を示す関連物の画像とを関連づけた風情報記録画像
を作成し、所定時刻における画像と風情報記録画像とを照合することによって、当該所定
時刻における画像に最も近似する当該風情報記録画像から、基準点での所定時刻における
風情報を算出するようにしている。すなわち、固定的に設けていた風状態計測装置を設置
する必要が無くなるので、汎用性を更に高めることができる。
【図面の簡単な説明】
【００１４】
【図１】本発明に従う風情報表示システムの全体構成を例示する構成図である。
【図２】図１に示す風情報表示システムによる風情報表示方法を示すフローチャートである。
【図３】所定時刻での画像における旗の特徴点、及び風情報記録画像に対応する静止画における小旗の特徴点を示す説明図である。
【図４】旗の特徴点から小旗の特徴点に至る距離を算出することによって、所定時刻における画像に最も近似する風情報記録画像を選択する手順を示す説明図である。
【図５】得られた風情報を表示した電子機器の表示画面を示す説明図である。
【発明を実施するための形態】
【００１５】
以下、図面を参照しつつ、本発明に従う風情報表示方法、及びそのシステムの一実施例
について説明する。
【００１６】
図１は、本発明に従う風情報表示システムの一実施例として、野球のテレビ実況放送に
適用した場合の全体構成を例示する構成図である。この実施例は、１つの基準点（基準点
ＲＰ）と２つの定点（第一定点ＦＰ１、第二定点ＦＰ２）を設ける場合を例示している。
ここで基準点ＲＰは、野球場のスコアボードの上方であり、ここには風によって変化する
対象物として旗Ｆ（白色）を設置している。また、第一定点ＦＰ１はレフト側のポールＰ
１の上端であり、第二定点ＦＰ２はライト側のポールＰ２の上端に位置する。
【００１７】
本実施例の風情報表示システムは、基準点ＲＰに設けている旗Ｆ及びその背景になる空
を撮像する第一撮像装置１と、野球場での試合の状況を撮像する第二撮像装置２とを備え
ている。
【００１８】
第一撮像装置１は、動画を取得するものでも静止画を取得するものでもよいが、本実施
例では静止画を取得するカメラを用いている。また本実施例の第一撮像装置１はカラー画
像を取得するものであるが、モノクロ画像を取得するものであってもよい。
【００１９】
第一撮像装置１は、第一ネットワーク３を介して、データセンターに設置されたサーバ
ー４に接続されている。第一ネットワーク３としては、次の例に限定されるものではない
が、公衆通信回線や特定通信回線、インターネット、イントラネット、ＬＡＮ（ｌｏｃａ
ｌ  ａｒｅａ  ｎｅｔｗｏｒｋ）、ＷＡＮ（ｗｉｄｅ  ａｒｅａ  ｎｅｔｗｏｒｋ）など
を挙げることができる。
【００２０】
第二撮像装置２はエンコード送信機５に接続されており、エンコード送信機５は、ライ
ブ中継網６を介して、放送センターに設置されたデコード受信機７にむけて野球場のライ
ブ映像を送信する。なお、ライブ映像を送信する過程は従来技術と同様であるので、詳細
な説明は省略する。
【００２１】
上述したサーバー４には、風情報データベース８と風情報記録画像データベース９が接
続されている。
【００２２】
風情報データベース８には、基準点ＲＰにおける風情報と第一定点ＦＰ１の風情報、及
び基準点ＲＰにおける風情報と第二定点ＦＰ２の風情報を関連づけた風情報データが格納
されている。なお、本発明において基準点（又は定点）における風情報とは、基準点（又
は定点）における風に関し、その風向及び風速の少なくとも１つを含む情報を意味してい
るが、本実施例の風情報は、風向と風速の２つからなる。また本実施例における風情報デ
ータは、基準点ＲＰにおける風向、風速をＸ軸に定め、第一定点ＦＰ１と第二定点ＦＰ２
における風向、風速をＹ軸に定めて方程式として関連づけたものである。なお風情報デー
タとしては、基準点ＲＰにおける風向、風速を横軸に定め、第一定点ＦＰ１における風向
、風速を縦軸に定めてこれらをマトリックス状に関連づけたテーブル形式のもの（第二定
点ＦＰ２でも同様にして基準点ＲＰと関連づけられるため、風情報データとして２つのテ
ーブルを格納する）など、種々のものが適用されうる。
【００２３】
風情報記録画像データベース９には、風が吹いた際に旗Ｆの動きに対応する挙動を示す
小旗ｆに関し、風によってなびく小旗ｆの画像とその際の風向及び風速とを関連づけた風
情報記録画像が格納されている。
【００２４】
ここで小旗ｆは、旗Ｆの寸法、材質、質量などを考慮して相似的に縮尺したものであっ
て、ある風向、及び風速の風が吹いた際の旗Ｆのなびきに対し、この風に対応する風によ
って旗Ｆと同様のなびきになるように設定している。また、模様や色（濃淡）も旗Ｆと同
様になるように設定している。
【００２５】
ここで本実施例の風情報記録画像は、小旗ｆを用いて風洞実験によって取得している。
具体的には、小旗ｆを風洞実験室に設置するとともに、上述した第一撮像装置１による旗
Ｆの画像を考慮したアングルで撮像装置を設置する。そして、風洞実験室の風によってな
びく小旗ｆ及びその背景の画像を撮像するとともにその際の風向及び風速を取得して、こ
れらを関連づけた風情報記録画像を得るようにしている。この際、風を変化させることに
よって、様々な風向、風速での風情報記録画像を取得している。なお、小旗ｆを含む画像
は動画でも静止画でもよいが、本実施例では動画を用いている。ここで風洞実験は、野球
場に設置される旗Ｆに対するレイノルズ数に一致するように行われるため、風洞実験室に
おける風と、野球場における基準点ＲＰの風とを関連づけることができる。すなわち本実
施例の風情報記録画像は、基準点ＲＰにおける風向、風速にも関連づけられている。なお
、風情報記録画像を取得するには、小旗ｆが風によってなびく状態を画像で再現すること
ができる、コンピュータシミュレーション（流体解析ソフト）を用いてもよい。
【００２６】
そしてサーバー４は、第一撮像装置１から得られる所定時刻の画像から旗Ｆの特徴点を
抽出し、また、風情報記録画像データベース９に格納された風情報記録画像から小旗ｆの
特徴点を抽出するものであり、更に、それらの特徴点に基づいて旗Ｆの画像に最も近似す
る小旗ｆの風情報記録画像を選定して、当該風情報記録画像に関連づく基準点ＲＰでの所
定時刻における風向、風速を抽出するものである。加えて、基準点ＲＰでの所定時刻にお
ける風向、風速に基づいて、風情報データベース８から第一定点ＦＰ１及び第二定点ＦＰ
２の少なくとも一方の風向及び風速を抽出するものである。本実施例では、後述する放送
センター内に設置されたコンピュータ装置１１からの要求に基づいて、第一定点ＦＰ１で
の風向及び風速を抽出するものとする。なお、上述したサーバー４の詳細な動作について
は後述する。
【００２７】
更にサーバー４は、第二ネットワーク１０を介して、放送センター内に設置されたコン
ピュータ装置１１に接続されている。なお、第二ネットワーク１０は、第一ネットワーク
３の如き公衆通信回線やインターネットなどであるが、サーバー４とコンピュータ装置１
１とが双方向で情報伝達できるものである。
【００２８】
ここでコンピュータ装置１１は、コンピュータソフトウエア又はＡＳＩＣなどで構成さ
れる、制御手段１２、テロップ生成手段１３の他、制御手段１２に対して操作者が指令を
送るための操作手段１４を含むものである。そして操作者が、風向及び風速を得たい定点
として操作手段１４を通して第一定点ＦＰ１を選択すると、制御手段１２は、第二ネット
ワーク１０を介してサーバー４に対して第一定点ＦＰ１での風向及び風速を送出するよう
に要求する。これによりサーバー４は、風情報データベース８及び風情報記録画像データ
ベース９との連係に基づいて第一定点ＦＰ１の風向及び風速を抽出し、第二ネットワーク
１０を介してコンピュータ装置１１へ伝達する。そして制御手段１２での制御の下、テロ
ップ生成手段１３は、第一定点ＦＰ１の風向及び風速を放送画面上にテロップとして表示
させるための画像に変換する。
【００２９】
そして、テロップ生成手段１３によって変換された風向及び風速に関する画像は、ＡＳ
ＩＣなどで構成される画像合成装置１５に送出されるように構成されており、デコード受
信機７で受信した野球場のライブ映像と合成（スーパーインポーズ）されて、テレビ放送
用の送信機１６に送出される。
【００３０】
次に、このように構成される風情報表示システムを用いて、第一定点ＦＰ１での風向及
び風速を放送画面上にテロップとして表示させる風情報表示方法について、主に図２を参
照しながら説明する。
【００３１】
まず、基準点ＲＰにおける風向及び風速と第一定点ＦＰ１における風向及び風速、並び
に基準点ＲＰにおける風向及び風速と第二定点ＦＰ２における風向及び風速を関連づけた
風情報データを作成し（風情報データ作成ステップＳ１）、これを風情報データベース８
に格納する。
【００３２】
また、小旗ｆを用いて風洞実験を行い、風洞実験室の風によってなびく小旗ｆ及びその
背景の画像（動画）を撮像するとともにその際の風向及び風速を取得し、これらを関連づ
けた風情報記録画像を作成する（風情報記録画像作成ステップＳ２）。本実施例では、風
向が同一であって風速の異なる風（風速「大」、風速「中」、風速「小」）によってなび
く小旗ｆを撮像しており（図３（ｂ）〜（ｄ）参照）、これら３種類の風情報記録画像を
風情報記録画像データベース９に格納する。
【００３３】
そして、第一撮像装置１によって、所定時刻における基準点ＲＰに設けている旗Ｆ及び
その背景になる空を撮像し（所定時刻画像取得ステップＳ３）、第一ネットワーク３を介
してサーバー４に送信する。
【００３４】
次にサーバー４は、所定時刻画像取得ステップＳ３で得られた所定時刻における旗Ｆの
画像と、風情報記録画像作成ステップＳ２で得られた小旗ｆの風情報記録画像とを照合し
て、所定時刻における旗Ｆの画像に最も近似する小旗ｆの風情報記録画像を選択し、当該
風情報記録画像から基準点ＲＰでの所定時刻における風情報を算出する基準点風情報算出
ステップＳ４を実行する。
【００３５】
基準点風情報算出ステップＳ４において、所定時刻における旗Ｆの画像に最も近似する
小旗ｆの風情報記録画像を選択するに当たっては、それらの画像の色や、旗Ｆと小旗ｆの
形状に着目するなど、種々の方法があるが、本実施例では、旗Ｆと小旗ｆの特徴点を利用
する。
【００３６】
ここで、所定時刻画像取得ステップＳ３で得られた画像から旗Ｆの特徴点を抽出する（
第一特徴点抽出ステップＳ５）にあたり、まずサーバー４は、第一撮像装置１から得られ
るカラーの静止画を、二値化やグレースケール化することによってモノクロの画像に変換
する。これにより、より少ない情報量で旗Ｆの画像を取り扱うことができる。本実施例で
は、図３（ａ）に示すように、旗Ｆは白に近く、背景の空（図中ハッチングを付して示す
）は黒に近い階調に変換している。なお、旗Ｆと背景の空の色彩によっては、モノクロよ
りもカラーの方が両者の違いが明確になる場合もあるため、カラーの静止画を採用するこ
ともあり得る。
【００３７】
そしてサーバー４は、モノクロの静止画中、例えば明暗の差が顕著な部分や角になって
いる部分などを旗Ｆの特徴点として抽出する。本実施例では、旗Ｆの特徴点として３つ（
特徴点Ａ〜Ｃ）を抽出するものとする。
【００３８】
更にサーバー４は、風情報記録画像データベース９に格納された風速の異なる３種類の
動画をキャプチャーして、その風速に応じた小旗ｆの静止画を作成する。ここで、図３（
ｂ）は風速「中」での静止画（静止画ＳＩ１）を示し、図３（ｃ）は風速「大」での静止
画（静止画ＳＩ２）を示し、図３（ｄ）は風速「小」での静止画（静止画ＳＩ３）を示し
ている。なお本実施例では、１つの風向及び風速の動画から１つの静止画を作成するもの
として説明するが、例えば数秒毎にキャプチャーして複数の静止画を作成してもよい。そ
して、静止画ＳＩ１〜ＳＩ３についてもモノクロ画像に変換し、小旗ｆの特徴点を抽出す
る（第二特徴点抽出ステップＳ６）。本実施例では静止画ＳＩ１から特徴点１ａ〜１ｃ、
静止画ＳＩ２から特徴点２ａ〜２ｃ、静止画ＳＩ３から特徴点３ａ〜３ｃを抽出している
。
【００３９】
その後、サーバー４は、第一特徴点抽出ステップＳ５で得られる特徴点から第二特徴点
抽出ステップＳ６で得られる特徴点に至る距離を全て算出し、当該距離が最も小さい風情
報記録画像における特徴点が所定時刻での画像における特徴点に対応すると判断するとと
もに、当該距離が所定値以下であればそれらの特徴点同士が一致していると判断し、一致
している特徴点が最も多い風情報記録画像を、所定時刻における画像に最も近似する風情
報記録画像として選択する近似風情報記録画像選択ステップＳ７を実行する。
【００４０】
この点につき、図３、図４を参照しながらより具体的に説明する。旗Ｆの各特徴点の座
標は、図４の表１に示すように、特徴点Ａ（３、１９）、特徴点Ｂ（２１、１６）、特徴
点Ｃ（２２、７）であるとする。また静止画ＳＩ１における小旗ｆの座標は、同図の表２
に示すように、特徴点１ａ（３、１８）、特徴点１ｂ（２１、１４）、特徴点１ｃ（２２
、６）であるとし、静止画ＳＩ２における小旗ｆの座標は、同図の表３に示すように、特
徴点２ａ（３、１７）、特徴点２ｂ（２０、２３）、特徴点２ｃ（２１、１６）であると
し、静止画ＳＩ３における小旗ｆの座標は、同図の表４に示すように、特徴点３ａ（４、
２３）、特徴点３ｂ（１５、１０）、特徴点３ｃ（１７、２）であるとする。
【００４１】
そしてサーバー４は、静止画ＳＩ１について、表５において距離が一番小さい特徴点１
ａが特徴点Ａに、表６において距離が一番小さい特徴点１ｂが特徴点Ｂに、表７において
距離が一番小さい特徴点１ｃが特徴点Ｃに対応すると仮設定する。そしてこの場合は、特
徴点１ａ〜１ｃが特徴点Ａ〜Ｃに対して重複せずに一対一に紐付いたので、このままの関
係で全ての特徴点同士が対応付けられたと判断する。その後サーバー４は、表８に示すよ
うに、特徴点Ａから特徴点１ａに至る距離、特徴点Ｂから特徴点１ｂに至る距離、特徴点
Ｃから特徴点１ｃに至る距離が閾値以下であれば（本実施例では閾値１．５以下であれば
）、特徴点Ａ〜Ｃと特徴点１ａ〜１ｃが一致していると判断する。本実施例においてサー
バー４は、静止画ＳＩ１については２つの特徴点が一致していると判断する。
【００４２】
またサーバー４は、静止画ＳＩ２についても特徴点Ａから特徴点２ａ〜２ｃに至る距離
（表９）、特徴点Ｂから特徴点２ａ〜２ｃに至る距離（表１０）、特徴点Ｃから特徴点２
ａ〜２ｃに至る距離（表１１）を算出する。そしてサーバー４は、表９〜１１のそれぞれ
において距離が一番小さい特徴点２ａ〜２ｃが特徴点Ａ〜Ｃに対応すると仮設定するもの
の、表１０と表１１は、どちらも特徴点２ｃに至る距離が最も小さくなっているので、特
徴点Ｃとの対応関係が重複することになる。この場合サーバー４は、表９〜表１１の関係
を全て参照して、距離が小さいものから順に特徴点２ａ〜２ｃと特徴点Ａ〜Ｃとを対応付
ける。すなわち、表９〜表１１において距離が最も小さいものは、表１０における特徴点
Ｂから特徴点２ｃに至る距離であるので、サーバー４は、まず特徴点Ｂと特徴点２ｃとを
対応付ける。次に表９と表１１において、既に対応付けられた特徴点２ｃに関するものを
除いて最も小さな距離は、表９における特徴点Ａから特徴点２ａに至る距離であるので、
サーバー４は、特徴点Ａと特徴点２ａとを対応づける。更にサーバー４は、残った特徴点
Ｃと特徴点２ｂとを対応付ける。そしてサーバー４は、表１２に示すように、特徴点Ａか
ら特徴点２ａに至る距離、特徴点Ｂから特徴点２ｃに至る距離、特徴点Ｃから特徴点２ｂ
に至る距離が閾値である１．５以下であるか判断する。本実施例においてサーバー４は、
静止画ＳＩ２については１つの特徴点が一致していると判断する。
【００４３】
なお詳細な説明は省略するが、サーバー４は、静止画ＳＩ３についても特徴点Ａから特
徴点３ａ〜３ｃに至る距離（表１３）、特徴点Ｂから特徴点３ａ〜３ｃに至る距離（表１
４）、特徴点Ｃから特徴点３ａ〜３ｃに至る距離（表１５）を算出し、更に特徴点３ａ〜
３ｃが特徴点Ａ〜Ｃに対して重複せずに紐付くか判断して、特徴点Ａ〜Ｃと特徴点３ａ〜
３ｃとの一致の状況を判断する。表１６に示すようにサーバー４は、静止画ＳＩ３につい
ては一致する特徴点がないと判断する。
【００４４】
このように、本実施例において一致する特徴点が最も多いのは静止画ＳＩ１であるため
、サーバー４は、旗Ｆの画像に最も近似する小旗ｆの風情報記録画像として静止画ＳＩ１
を選択し、静止画ＳＩ１に対応する風情報記録画像に基づいて、風情報記録画像データベ
ース９から基準点ＲＰでの所定時刻における風向及び風速を抽出する。
【００４５】
ここで、放送センター内の操作者が、コンピュータ装置１１の操作手段１４を通して第
一定点ＦＰ１を選択すると、制御手段１２は、第二ネットワーク１０を介してサーバー４
に対して第一定点ＦＰ１での風向及び風速を送出するように要求する。
【００４６】
その後サーバー４は、風情報データベース８を参照して、基準点ＲＰでの所定時刻にお
ける風向及び風速から第一定点ＦＰ１での風向及び風速を抽出し（定点風情報抽出ステッ
プＳ８）、第二ネットワーク１０を介してコンピュータ装置１１へ送信する。
【００４７】
そしてテロップ生成手段１３は、制御手段１２による制御の下、第一定点ＦＰ１での風
向及び風速の情報を、放送画面上にテロップとして表示させるための画像に変換する（テ
ロップ生成ステップＳ９）。
【００４８】
テロップ生成手段１３によって変換された風向及び風速に関する画像は、画像合成装置
１５に送出され、デコード受信機７で受信された野球場のライブ映像と合成（スーパーイ
ンポーズ）されて、テレビ放送用の送信機１６に送られる。これによって図５に示すよう
に、電子機器の表示画面上に、野球場のライブ映像とともに第一定点ＦＰ１での風向及び
風速をテロップとして表示することができる。
【００４９】
本発明に従う風情報表示方法及び風情報表示システムは、上述した実施例に限定される
ものではなく、特許請求の範囲に従う範囲で種々の適用が可能である。例えば、テロップ
として表示される風情報は、第一定点ＦＰ１のみならず、第二定点ＦＰ２や基準点ＲＰを
含めてもよい。また、第一定点ＦＰ１や第二定点ＦＰ２を選択するに当たっては、操作者
の操作によらずに、例えば予め準備された打者の特性（レフト側へのホームランが多いな
ど）に応じたデータに基づいて行うようにしてもよい。
【００５０】
また所定時刻における旗Ｆの画像に最も近似する小旗ｆの風情報記録画像を選択するに
当たっては、上述した旗Ｆと小旗ｆの特徴点を利用する方法の他、旗Ｆの輪郭（外形）を
縁取ってその形状を抽出するとともに、風情報記録画像データベース９に格納された風速
の異なる小旗ｆの輪郭（外形）を縁取ってその形状を抽出し、例えば輪郭線の方向や長さ
、内側部分の面積、形状の特徴部分などに着目して、旗Ｆとの一致度が最も高い小旗ｆを
選択するようにしてもよい。
【００５１】
また本実施例において、風情報記録画像データベース９には旗Ｆを縮小した小旗ｆの風
情報記録画像が格納されているが、旗Ｆと同じサイズになる旗で風洞実験を行って、この
旗の風情報記録画像を格納してもよい。さらに、風洞実験だけでなく、風通しの良い広い
場所に設置し、同じ場所に設置した風速計の観測値と関連づける方法を用いることもでき
る。
【００５２】
また、本実施例においては、基準点ＲＰに存在する、風によって変化する対象物として
旗Ｆを選択したが、対象物としては他にも、木の枝や水面の波など、種々のものが選択可
能である。この場合、対象物の所定時刻における画像と関連物の風情報記録画像とを比較
して、最も近似する風情報記録画像を選択するに当たっては、それらの画像における対象
物及び関連物の形状、外形線の長さ及び方向、色や濃淡など、種々の観点から比較するこ
とができる。
【００５３】
更に、本実施例では、風情報記録画像作成ステップＳ２〜近似風情報記録画像選択ステ
ップＳ７として説明した基準点ＲＰでの風情報の計測（基準点風情報計測ステップＳ１０
）は、このような対象物を利用した手段に限られず、例えば基準点ＲＰに風向風速計によ
って得られる風向、風速を利用してもよい。
【００５４】
更に本発明は、野球だけでなく、ゴルフなどの各種球技の他、マラソン競技やボート、
ケイリン、スキージャンプ、水上競技などの各種スポーツ競技にも適用することが可能で
ある。またスポーツ競技以外でも、建築、道路、ビル風などの強風、暴風対策ひいては防
災分野にも適用できる。
【符号の説明】
【００５５】
１：第一撮像装置（所定時刻画像取得手段）
２：第二撮像装置
３：第一ネットワーク
４：サーバー（定点風情報抽出手段、基準点風情報算出手段、第一、第二特徴点抽出手段
、近似風情報記録画像選択手段）
５：エンコード送信機
６：ライブ中継網
７：デコード受信機
８：風情報データベース
９：風情報記録画像データベース
１０：第二ネットワーク
１１：コンピュータ装置
１２：制御手段
１３：テロップ生成手段
１４：操作手段
１５：画像合成装置
１６：送信機
Ｆ：旗
ｆ：小旗
ＦＰ１：第一定点
ＦＰ２：第二定点
ＲＰ：基準点
【図１】
0006497519.tif 000002
【図２】
0006497519.tif 000003
【図３】
0006497519.tif 000004
【図４】
0006497519.tif 000005
【図５】
0006497519.tif 000006